(57)【要約】【課題】光源の点灯時に文字・絵柄の外周部から漏れる間接光の効果、または、その間接光と直接光を組み合わせた効果を生じさせることができる情報表示パネルを提供する。【解決手段】光源９によって背面より照明される情報表示パネル１１であって、光透過性支持体１と、情報表示パネル１１の観察者１０側に位置する光透過性支持体１の一方の面側に順次積層された第１の反射層２及び第１の遮光層３と、光透過性支持体１の光源９側に位置する他方の面側に順次積層された第２の反射層４及び第２の遮光層５とを有し、一方の面及び他方の面の延在方向において、第２の遮光層５に設けられた開口部５ａの位置に対応する領域を含む大きさで、第１の反射層２が配置され、第１の遮光層３は、第１の反射層２の端部の一部を観察者１０側に露出させるように、第１の反射層３よりも小さく形成され、第２の反射層４の拡散反射率が第１の反射層２の拡散反射率よりも低い。【選択図】図１
2012212006.tif 000002
【特許請求の範囲】
【請求項１】
光源によって背面より照明される情報表示パネルであって、
光透過性支持体と、前記情報表示パネルの観察者側に位置する前記光透過性支持体の一方の面側に順次積層された第１の反射層及び第１の遮光層と、前記光透過性支持体の前記光源側に位置する他方の面側に順次積層された第２の反射層及び第２の遮光層とを有しており、
前記一方の面及び前記他方の面の延在方向において、前記第２の遮光層に設けられた開口部の位置に対応する領域を含む大きさで、前記第１の反射層が配置されており、
前記第１の遮光層は、前記第１の反射層の端部の一部を前記観察者側に露出させるように、前記第１の反射層よりも小さく形成されており、
前記第２の反射層の拡散反射率が前記第１の反射層の拡散反射率よりも低く構成されている、
ことを特徴とする情報表示パネル。
【請求項２】
前記第２の反射層は、拡散反射率が１０％以上４０％以下であることを特徴とする請求項１に記載の情報表示パネル。
【請求項３】
前記第１の遮光層と前記第２の遮光層とが前記延在方向において一部重なっており、前記第１の遮光層と前記第２の遮光層との重なる部分の前記延在方向における幅をＬ１、前記各面に対する前記各層の積層方向における前記光透過性支持体の厚みをＴ１とした時、
０≦Ｌ１≦５×Ｔ１
を満たすことを特徴とする請求項１乃至２のいずれかに記載の情報表示パネル。
【請求項４】
前記第１の反射層は前記延在方向において前記第１の遮光層より大きく形成されており、前記延在方向において前記第１の遮光層の端部から前記第１の反射層の端部がはみ出した部分の幅をＬ２、前記第１の遮光層を用いて表示する意匠を包囲できる最小円の直径をＲとした時、
０．００２５×Ｒ≦Ｌ２≦０．０５×Ｒ
を満たすことを特徴とする請求項１乃至３のいずれかに記載の情報表示パネル。
【請求項５】
前記第１の遮光層と前記第２の遮光層とが前記延在方向において重なっておらず、前記第１の反射層と前記第２の遮光層とが前記延在方向において一部重なっており、前記第１の遮光層の端部と前記第２の遮光層の端部の前記延在方向における間隔をＬ３、前記第１の遮光層と前記第１の反射層との重なる部分の前記延在方向における幅をＬ４、前記各面に対する前記各層の積層方向における前記光透過性支持体の厚みをＴ１、前記第１の遮光層を用いて表示する意匠を包囲できる最小円の直径をＲとした時、
Ｌ３≦２×Ｔ１
Ｌ３≦Ｌ４
Ｌ４≦０．０５×Ｒ
を満たすことを特徴とする請求項１乃至２のいずれかに記載の情報表示パネル。
【請求項６】
前記第２の遮光層の全光線透過率が０％以上２０％以下であることを特徴とする請求項１乃至５のいずれかに記載の情報表示パネル。
【請求項７】
前記第１の反射層の拡散反射率が２０％以上９０％以下であることを特徴とする請求項１乃至６のいずれかに記載の情報表示パネル。
【請求項８】
前記第１の反射層の全光線透過率が１０％以上８０％以下であることを特徴とする請求項１乃至７のいずれかに記載の情報表示パネル。
【請求項９】
前記第１の遮光層の全光線透過率が０％以上２０％以下であることを特徴とする請求項１乃至８のいずれかに記載の情報表示パネル。
【請求項１０】
前記第２の遮光層は開口部を有しており、前記延在方向において前記開口部に対応する部分に位置するように、全光線透過率が５０％以上である有彩色の光透過性着色層が、前記第２の遮光層の前記光源側にさらに積層されていることを特徴とする請求項１乃至９のいずれかに記載の情報表示パネル。
【請求項１１】
前記第１の遮光層の前記観察者側に、前記延在方向における前記一方の面の全体に対応する大きさで表面コート層がさらに積層されており、前記表面コート層は全光線透過率が７０％以上であることを特徴とする請求項１乃至１０のいずれかに記載の情報表示パネル。
【請求項１２】
前記表面コート層は拡散反射率が５％以上３０％以下であることを特徴とする請求項１１に記載の情報表示パネル。
【請求項１３】
前記表面コート層は鉛筆硬度がＨＢ以上であることを特徴とする請求項１１乃至１２のいずれかに記載の情報表示パネル。
【請求項１４】
前記他方の面の最も前記光源側に、前記延在方向における前記他方の面の全体に対応する大きさで裏面コート層がさらに積層されており、前記裏面コート層は全光線透過率が７０％以上であることを特徴とする請求項１乃至１３のいずれかに記載の情報表示パネル。
【請求項１５】
前記裏面コート層は鉛筆硬度がＨＢ以上であることを特徴とする請求項１４に記載の情報表示パネル。
【請求項１６】
前記光透過性支持体はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であることを特徴とする請求項１乃至１５のいずれかに記載の情報表示パネル。
【請求項１７】
前記光透過性支持体はヘイズ値が１２％以上９２％以下の樹脂であることを特徴とする請求項１乃至１５のいずれかに記載の情報表示パネル。
【請求項１８】
前記光透過性支持体は光透過層と光拡散層を含み、前記光透過層はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であり、前記光拡散層はヘイズ値が１２％以上９２％以下の樹脂であることを特徴とする請求項１乃至１５のいずれかに記載の情報表示パネル。
【請求項１９】
前記光透過性支持体の厚さが０．０５ｍｍから５ｍｍまでの範囲であることを特徴とする請求項１乃至１８のいずれかに記載の情報表示パネル。
【請求項２０】
前記光源が、エッジライト式光源と導光板からなる面光源であることを特徴とする請求項１乃至１９のいずれかに記載の情報表示パネル。
【請求項２１】
前記光源が、ＬＥＤ光源であることを特徴とする請求項１乃至１９のいずれかに記載の情報表示パネル。
【請求項２２】
請求項1乃至２１のいずれかに記載の情報表示パネルを具備したことを特徴とする輸送機器。
【発明の詳細な説明】
【技術分野】
【０００１】
本発明は、平板状の光透過性支持体の表裏に印刷層を備える情報表示パネルに関し、特に遮光性を有する遮光層、および光反射性を有する反射層を組み合わせた印刷層を備えた情報表示パネルおよびその情報表示パネルを具備した輸送機器に関する。
【背景技術】
【０００２】
従来技術の一例である特許文献１の情報表示パネルにおいては、光透過性の基材の観察者側の面の文字・絵柄に対応する部分に反射性を有する層と遮光性（着色性）を有する層が順に積層されている。また、基材の他方の面の前記の文字・絵柄に対応しない部分に反射性を有する層と遮光性を有する層が順に積層されている。
【０００３】
特許文献１の情報表示パネルの構成によれば、情報表示パネルの他方の面の側の後方に配置されるランプ非点灯時は、外光により、観察者側の遮光性（着色性）を有する層が文字・絵柄部分として視認され、他方の面側の反射性を有する層が文字・絵柄部分以外の地色部分として視認される。また、ランプ点灯時は、裏面側からランプの光が照射されることにより、裏面側の反射性を有する層を拡散反射する光により、文字・絵柄部分の外周に間接光が広がり、文字・絵柄が立体的に視認される。
【０００４】
しかしながら、特許文献１の技術では、ランプ非点灯時に、文字・絵柄部分以外の部分として視認される反射性を有する層の地色が、光の反射性を考慮すると暗色系とするのが困難なため、文字・絵柄部分として視認される遮光性（着色性）を有する層の地色とに色の差を付けて区別しやすくするのが困難であった。そのため、ランプ非点灯時に、文字・絵柄部分以外の部分として視認される反射性を有する層と、文字・絵柄部分として視認される遮光性（着色性）を有する層との前後方向の位置差から、文字・絵柄部分を立体的に視認させることが難しかった。
【先行技術文献】
【特許文献】
【０００５】
【特許文献１】特許第３３５１７８３号公報
【発明の概要】
【発明が解決しようとする課題】
【０００６】
本発明は、後方の光源の非点灯時にも文字・絵柄等の部分をそれ以外の部分に対して立体的に視認させることができる情報表示パネルおよびその情報表示パネルを具備した輸送機器を提供することを課題とする。
【課題を解決するための手段】
【０００７】
本発明は、上記課題を解決するために次のような構成を備えている。
請求項１に記載の発明は、
光源によって背面より照明される情報表示パネルであって、
光透過性支持体と、前記情報表示パネルの観察者側に位置する前記光透過性支持体の一方の面側に順次積層された第１の反射層及び第１の遮光層と、前記光透過性支持体の前記光源側に位置する他方の面側に順次積層された第２の反射層及び第２の遮光層とを有しており、
前記一方の面及び前記他方の面の延在方向において、前記第２の遮光層に設けられた開口部の位置に対応する領域を含む大きさで、前記第１の反射層が配置されており、
前記第１の遮光層は、前記第１の反射層の端部の一部を前記観察者側に露出させるように、前記第１の反射層よりも小さく形成されており、
前記第２の反射層の拡散反射率が前記第１の反射層の拡散反射率よりも低く構成されている、
ことを特徴とする情報表示パネル、である。
【０００８】
請求項２に記載の発明は、
前記第２の反射層は、拡散反射率が１０％以上４０％以下であることを特徴とする請求項１に記載の情報表示パネル、である。
【０００９】
請求項３に記載の発明は、
前記第１の遮光層と前記第２の遮光層とが前記延在方向において一部重なっており、前記第１の遮光層と前記第２の遮光層との重なる部分の前記延在方向における幅をＬ１、前記各面に対する前記各層の積層方向における前記光透過性支持体の厚みをＴ１とした時、
０≦Ｌ１≦５×Ｔ１
を満たすことを特徴とする請求項１乃至２のいずれかに記載の情報表示パネル、である。
【００１０】
請求項４に記載の発明は、
前記第１の反射層は前記延在方向において前記第１の遮光層より大きく形成されており、前記延在方向において前記第１の遮光層の端部から前記第１の反射層の端部がはみ出した部分の幅をＬ２、前記第１の遮光層を用いて表示する意匠を包囲できる最小円の直径をＲとした時、
０．００２５×Ｒ≦Ｌ２≦０．０５×Ｒ
を満たすことを特徴とする請求項１乃至３のいずれかに記載の情報表示パネル、である。
【００１１】
請求項５に記載の発明は
前記第１の遮光層と前記第２の遮光層とが前記延在方向において重なっておらず、前記第１の反射層と前記第２の遮光層とが前記延在方向において一部重なっており、前記第１の遮光層の端部と前記第２の遮光層の端部の前記延在方向における間隔をＬ３、前記第１の遮光層と前記第１の反射層との重なる部分の前記延在方向における幅をＬ４、前記各面に対する前記各層の積層方向における前記光透過性支持体の厚みをＴ１、前記第１の遮光層を用いて表示する意匠を包囲できる最小円の直径をＲとした時、
Ｌ３≦２×Ｔ１
Ｌ３≦Ｌ４
Ｌ４≦０．０５×Ｒ
を満たすことを特徴とする請求項１乃至２のいずれかに記載の情報表示パネル、である。
【００１２】
請求項６に記載の発明は、
前記第２の遮光層の全光線透過率が０％以上２０％以下であることを特徴とする請求項１乃至５のいずれかに記載の情報表示パネル、である。
【００１３】
請求項７に記載の発明は、
前記第１の反射層の拡散反射率が２０％以上９０％以下であることを特徴とする請求項１乃至６のいずれかに記載の情報表示パネル、である。
【００１４】
請求項８に記載の発明は、
前記第１の反射層の全光線透過率が１０％以上８０％以下であることを特徴とする請求項１乃至７のいずれかに記載の情報表示パネル、である。
【００１５】
請求項９に記載の発明は、
前記第１の遮光層の全光線透過率が０％以上２０％以下であることを特徴とする請求項１乃至８のいずれかに記載の情報表示パネル、である。
【００１６】
請求項１０に記載の発明は、
前記延在方向において前記開口部に対応する部分に位置するように、全光線透過率が５０％以上である有彩色の光透過性着色層が、前記第２の遮光層の前記光源側にさらに積層されていることを特徴とする請求項１乃至９のいずれかに記載の情報表示パネル、である。
【００１７】
請求項１１に記載の発明は、
前記第１の遮光層の前記観察者側に、前記延在方向における前記一方の面の全体に対応する大きさで表面コート層がさらに積層されており、前記表面コート層は全光線透過率が７０％以上であることを特徴とする請求項１乃至１０のいずれかに記載の情報表示パネル、である。
【００１８】
請求項１２に記載の発明は、
前記表面コート層は拡散反射率が５％以上３０％以下であることを特徴とする請求項１１に記載の情報表示パネル、である。
【００１９】
請求項１３に記載の発明は、
前記表面コート層は鉛筆硬度がＨＢ以上であることを特徴とする請求項１１乃至１２のいずれかに記載の情報表示パネル、である。
【００２０】
請求項１４に記載の発明は、
前記他方の面の最も前記光源側に、前記延在方向における前記他方の面の全体に対応する大きさで裏面コート層がさらに積層されており、前記裏面コート層は全光線透過率が７０％以上であることを特徴とする請求項１乃至１３のいずれかに記載の情報表示パネル、である。
【００２１】
請求項１５に記載の発明は、
前記裏面コート層は鉛筆硬度がＨＢ以上であることを特徴とする請求項１４に記載の情報表示パネル、である。
【００２２】
請求項１６に記載の発明は、
前記光透過性支持体はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であることを特徴とする請求項１乃至１５のいずれかに記載の情報表示パネル、である。
【００２３】
請求項１７に記載の発明は、
前記光透過性支持体はヘイズ値が１２％以上の樹脂であることを特徴とする請求項１乃至１５のいずれかに記載の情報表示パネル、である。
【００２４】
請求項１８に記載の発明は、
前記光透過性支持体は光透過層と光拡散層を含み、前記光透過層はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であり、前記光拡散層はヘイズ値が１２％以上の樹脂であることを特徴とする請求項１乃至１５のいずれかに記載の情報表示パネル、である。
【００２５】
請求項１９に記載の発明は、
前記光透過性支持体の厚さが０．０５ｍｍから５ｍｍまでの範囲であることを特徴とする請求項１乃至１８のいずれかに記載の情報表示パネル、である。
【００２６】
請求項２０に記載の発明は、
前記光源が、エッジライト式光源と導光板からなる面光源であることを特徴とする請求項１乃至１９のいずれかに記載の情報表示パネル、である。
【００２７】
請求項２１に記載の発明は、
前記光源が、ＬＥＤ光源であることを特徴とする  請求項１乃至１９のいずれかに記載の情報表示パネル、である。
【００２８】
請求項２２に記載の発明は、
請求項1乃至２１のいずれかに記載の情報表示パネルを具備したことを特徴とする輸送機器、である。
【発明の効果】
【００２９】
本発明の情報表示パネルは、光透過性を有した基板上の観察者側の面側に文字・絵柄を有する遮光層と文字・絵柄に加飾を施す事ができる反射層を積層した構成であり、遮光層と反射層の領域が異なることにより擬似的な陰影による立体感を出すようになっている。また、文字・絵柄の無い下地の部分においては、基板及び光源側の反射層はともに光透過性を有しているので、観察者側から観察すると、これらを通して光源側の暗色の遮光層を視認することができる。以上の効果は、情報表示パネルの後方に配置される光源の点灯時および非点灯時の両方において得ることができるので、点灯時・非点灯時の両方で視認しやすく表示が美しい情報表示パネルとすることができる。
さらに、情報表示パネルの後方に配置された光源の点灯時には、光源から入射した光が、文字・絵柄を有する観察者側の遮光層の外周部分から間接光として漏れるために、文字・絵柄の立体感をよりいっそう強く感じさせ、美しく表示できる効果がある。
【図面の簡単な説明】
【００３０】
【図１】本発明の情報表示パネルの第一の実施形態の断面図である。
【図２】本発明の情報表示パネルの第二の実施形態の断面図である。
【図３】本発明の情報表示パネルを観察者側からみた平面図であって、第１の遮光層を包囲できる最小円の配置関係を示す模式図である。
【図４】本発明の情報表示パネルの第一の実施形態を観察者側からみた平面図である。
【図５】本発明の情報表示パネルの第二の実施形態を観察者側からみた平面図である。
【発明を実施するための形態】
【００３１】
以下に図面を参照して、本発明に係る情報表示パネルの好適な実施の形態について詳細に説明する。
【００３２】
図１は、本発明の第一の実施形態である情報表示パネル１１の断面図を示したものである。
情報表示パネル１１は、光透過性支持体１の一方の面側に第１の反射層２、第１の遮光層３、表面コート層７が順に積層され、光透過性支持体１の他方の面側に第２の反射層４、第２の遮光層５、光透過性着色層６、裏面コート層８が積層されたものである。光透過性支持体１の他方の面側には光源９が配置され、観察者１０側から目視を行うことになる。
【００３３】
光透過性支持体１は、透明樹脂のみ、拡散性樹脂のみ、透明樹脂層と拡散性樹脂層との積層の３種類の構成のいずれかを選択することができる。
【００３４】
光透過性支持体１を透明樹脂のみで構成する場合、ポリカーボネート、ポリプロピレン、発泡ポリプロピレン、ポリエチレンテレフタレート、ポリスチレン、メタクリル・スチレン共重合体、アクリルニトリル・スチレン共重合体、ポリメタクリル酸メチルまたはアクリルを利用することができる。
この時の光透過性支持体１の厚さは、後述する遮光層や反射層を形成する工程などにおける作業性が求められるため０．０５ｍｍ以上が好ましく、情報表示機器筐体内に組み込んだときに空間的制約を受けないために５ｍｍ以下が好ましい。また、透明樹脂のみで構成すると、光源９からの光が光透過性支持体１を透過する際の光量の損失を少なく出来るため、光源９の点灯時により明るく文字・絵柄を表示することができる。
また、この時の光透過性支持体１のヘイズ値は１２％以上であることが好ましい。ヘイズ値が１２％未満の場合、光透過性支持体に入射して拡散反射して第１の遮光層の外側の領域に抜ける光が減少するために間接光の輝度が低下するという弊害があるからである。
【００３５】
光透過性支持体１を拡散性樹脂のみで構成する場合、球形または無定形の形状であり有機又は無機からなる光拡散性微粒子を含んだポリカーボネート、ポリスチレン、メタクリル・スチレン共重合体、アクリルのうち少なくともいずれかを含む有機系樹脂を利用することができる。この時の光透過性支持体１の厚さは、後述する遮光層や反射層を形成する工程などにおける作業性が求められるため０．０５ｍｍ以上が好ましく、情報表示機器筐体内に組み込んだときに空間的制約を受けないために５ｍｍ以下が好ましい。また、拡散性樹脂のみで構成することにより、光源９からの直接入射光の一部が拡散性樹脂で散乱されて、第１の反射層２および第１の遮光層３の周縁から観察者１０側に出るために、間接光の輝度を高めることができる。
【００３６】
光透過性支持体１を透明樹脂層と拡散性樹脂層との積層構成にする場合、透明樹脂層にはポリカーボネート、ポリプロピレン、発泡ポリプロピレン、ポリエチレンテレフタレート、ポリスチレン、メタクリル・スチレン共重合体、アクリルニトリル・スチレン共重合体、ポリメタクリル酸メチルまたはアクリルを、拡散性樹脂層には球形または無定形の形状であり有機又は無機からなる光拡散性微粒子を含んだポリカーボネート、ポリスチレン、メタクリル・スチレン共重合体、アクリルのうち少なくともいずれかを含む有機系樹脂を利用することができる。
この時の光透過性支持体１の厚さは後述する遮光層や反射層を形成する工程などにおける作業性が求められるため０．０５ｍｍ以上が好ましく、情報表示機器筐体内に組み込んだときに空間的制約を受けないために５ｍｍ以下が好ましい。また、拡散性樹脂層を含む構成であることにより、光源９からの直接入射光の一部が拡散性樹脂層で散乱されて、第１の反射層２および第１の遮光層３の周縁から観察者１０側に出るために、間接光の輝度を高めることができる。
この時の透明樹脂層と拡散性樹脂層の配置の順序、すなわち、どちらが観察者１０側で、どちらが光源９側に配置されるかは、どちらであっても構わない。
【００３７】
光透過性支持体１の一方の面（観察者１０側の面）に第１の反射層２を設ける。
第１の反射層２はスクリーン印刷によって設けることができる。特にスクリーン印刷に限定することなく、凸版印刷、フレキソ印刷、オフセット印刷、グラビア印刷、インクジェット等を用いることもできる。
【００３８】
第１の反射層２には白色インキを用いるのが望ましいが、光の拡散反射効果があれば白色インキに限らない。厚みに制限は無いが、５μｍ〜３０μｍにすると反射効果が出やすい。光源９が点灯した際には第１の反射層２で反射した光が第１の反射層２の外周部に漏れて見える。また、第１の反射層２の第１の遮光層３（後述する）からはみ出した部分が、観察者１０には第１の遮光層３の陰影として擬似的に認識され、立体感をより感じさせる効果がある。
【００３９】
光透過性支持体１の一方の面の第１の反射層２の上に第１の遮光層３を積層する。
第１の遮光層３はスクリーン印刷によって設けることができる。特にスクリーン印刷に限定することなく、凸版印刷、フレキソ印刷、オフセット印刷、グラビア印刷、インクジェット等を用いることもできる。
【００４０】
第１の遮光層３には黒色インキを用いるのが望ましいが、光源９からの光の遮光効果があれば黒色インキに限らない。たとえば、光源９側に遮光性のインキを配置し、その上（観察者１０側）に遮光性のないインキを積層することも可能である。厚みに制限は無いが、５μｍ〜３０μｍにすると遮光効果が出やすい。光源９が点灯した際に第１の反射層２で反射しきれずに透過した光が第１の遮光層３によって遮光され、第１の遮光層３の部分が暗く視認されることになる。また、第１の遮光層３と第２の遮光層５が一定の範囲で重なってもかまわない（後述する）。これはスクリーン印刷等で情報表示パネル１１の作成時に第１の遮光層２と第２の遮光層５の位置関係にズレが発生した場合にも、光源９の点灯時に直接光が第１の遮光層３と第２の遮光層５の隙間から視認されないようにして、立体感が損なわれるのを防ぐ効果がある。
【００４１】
第１の反射層２および第１の遮光層３は、文字や絵柄などの所定のパターンを有した形状に形成される。このとき、第１の反射層２および第１の遮光層３が形成されている部分が文字や絵柄などの図柄（意匠）を表し、形成されていない部分が背景を表していても良いし、逆に、第１の反射層２および第１の遮光層３が形成されている部分が背景を表し、形成されていない部分が文字や絵柄などの図柄を表していても良い。
【００４２】
第１の遮光層３は、第１の反射層２と同じ大きさか、より小さい領域に形成する。第１の遮光層３が第１の反射層２より小さい場合、観察者１０側から観察すると、第１の反射層２が第１の遮光層３の端部からはみ出している領域があることになる。この、第１の反射層２が第１の遮光層３の端部からはみ出している領域は、あたかも第１の遮光層３の陰影のように観察され、観察者１０により立体感を感じさせる。
【００４３】
この第１の反射層２が第１の遮光層３の端部からはみ出している領域による立体感の効果は、第１の遮光層３または第１の遮光層３の存在しない部分により形成されている図柄を包囲できる最小円の直径をＲとしたとき、
０．００２５×Ｒ≦Ｌ２≦０．０５×Ｒ
という条件を満たすときに得られやすい（図３参照）。
【００４４】
図３は、本発明の情報表示パネル１１を観察者１０側からみた平面図であって、第１の遮光層３、第１の反射層２、絵柄層３を包囲できる直径Ｒの最小円の配置関係を示す模式図である。
図３においては、第１の遮光層３により形成されている文字・絵柄等を包囲できる最小円の直径をＲとし、第１の遮光層３の端部から第１の反射層２がはみ出している部分の幅の最大値をＬ２としている。
【００４５】
０．００２５×Ｒ≦Ｌ２の場合は、第１の反射層２の端部がはみ出している領域が小さすぎるため、第１の遮光層３の陰影として認識されずに立体感が得られない。
また、Ｌ２≦０．０５×Ｒの場合は、第１の反射層２のはみ出している部分は、第１の遮光層３の陰影としてではなく、第１の遮光層３とは別の文字・絵柄と認識されるため、立体感を得られないばかりか、情報表示パネル１１全体の外観を損ねる。
【００４６】
光透過性支持体１の他方の面（光源９側の面）に第２の反射層４を設ける。
第２の反射層４はスクリーン印刷によって設けることができる。特にスクリーン印刷に限定することなく、凸版印刷、フレキソ印刷、オフセット印刷、グラビア印刷、インクジェット等を用いることもできる。
【００４７】
第２の反射層４は、光源９の前方に位置する部分に開口部４ａを有している。第２の遮光層５は、光透過性支持体１の両面の延在方向において第２の反射層４の開口部４ａと一致する部分に開口部５ａを有している。第１の遮光層３は、光透過性支持体１の両面の延在方向において、各開口部４ａ、５ａに対応する部分に配置されており、かつ、第２の反射層４や第２の遮光層５と一部重なって配置されている。第２の反射層４は、基本的には、光透過性支持体１の両面の延在方向における第１の遮光層３以外の部分に配置されていればよい。しかし、後述のように第２の反射層４は光透過性であることから、第２の遮光層５の開口部５ａから光透過性支持体１、第１の反射層２にぬける光を透過させるために、第１の遮光層３に対応する部分にも第２の反射層４を配置してもかまわない。
【００４８】
第２の反射層４には透明インキにシリカ等を添加したものを用いるのが望ましいが、光透過性と光の拡散反射効果とがあればそれに限らない。厚みに制限は無いが、５μｍ〜３０μｍにすると反射効果が出やすい。
【００４９】
光透過性支持体１の他方の面に第２の遮光層５を設ける。第２の遮光層５はスクリーン印刷によって設けることができる。特にスクリーン印刷に限定することなく、凸版印刷、フレキソ印刷、オフセット印刷、グラビア印刷、インクジェット等を用いることもできる。
【００５０】
上述したように、第２の遮光層５の開口部５ａは、第１の遮光層３が形成されている部分と略同形状のパターンを有し、光透過性支持体１の両面の延在方向において、第１の遮光層３とほぼ同じ位置に位置合わせされて設けられていることになる。
【００５１】
第２の遮光層５には黒色インキを用いるのが望ましいが、遮光効果があれば黒色インキに限らない。厚みに制限は無いが、５μｍ〜３０μｍにすると遮光効果が出やすい。
【００５２】
光透過性支持体１の他方の面の第２の遮光層５の積層後、光透過性支持体１の両面の延在方向において、少なくとも第２の遮光層５の開口部５ａに対応する部分に、光透過性着色層６を配置する。光透過性着色層６はスクリーン印刷によって設けることができる。特にスクリーン印刷に限定することなく、凸版印刷、フレキソ印刷、オフセット印刷、グラビア印刷、インクジェット等を用いることもできる。
【００５３】
光透過性着色層６には青インキを用いるのが望ましいが、任意の有彩色で光透過性があればそれに限らない。後述のように文字・絵柄の外周で間接光及び直接光として観察される光の色は光透過性着色層６に依存する。厚みに制限は無いが、５μｍ〜３０μｍにすると着色効果が出やすい。なお、文字・絵柄の外周の間接光及び直接光を着色せず、光源９の色のままでよいのであれば、光透過性着色層６を設ける必要はない。
【００５４】
光透過性支持体１の一方の面の第１の遮光層３の積層後、一方の面側の最も外側に位置するように、光透過性支持体１の全面に表面コート層７を配置する。表面コート層７はスクリーン印刷によって設けることができる。特にスクリーン印刷に限定することなく、凸版印刷、フレキソ印刷、オフセット印刷、グラビア印刷、インクジェット等を用いることもできる。
【００５５】
表面コート層７には透明インキにシリカ等を添加したものを用いるのが望ましいが、光透過性と光の拡散反射性、表面硬度強化効果とがあればそれに限らない。厚みに制限は無いが、５μｍ〜３０μｍにすると前述の効果が出やすい。表面コート層７は拡散反射性を持つので、光透過性支持体１の一方の面側において何も積層されていない光透過性支持体１が剥き出しの部分の表面反射によるギラツキを抑える効果があり、かつ光透過性を持つので情報表示パネル１１全体の外観に大きな影響を与えない。また、表面硬度を強化するので、工程内での光透過性支持体１の一方の面側における傷付きを防止する効果がある。なお、これらの効果が必要ない場合は、表面コート層７を設ける必要はない。
【００５６】
光透過性支持体１の他方の面の光透過性着色層６の積層後、他方の面側の最も外側に位置するように、光透過性支持体１の全面に裏面コート層８を配置する。裏面コート層８はスクリーン印刷によって設けることができる。特にスクリーン印刷に限定することなく、凸版印刷、フレキソ印刷、オフセット印刷、グラビア印刷、インクジェット等を用いることもできる。
【００５７】
裏面コート層８には透明インキにシリカ等を添加したものを用いるのが望ましいが、光透過性と表面硬度強化効果とがあればそれに限らない。厚みに制限は無いが、５μｍ〜３０μｍにすると前述の効果が出やすい。裏面コート層８は表面硬度を強化するので、工程内での光透過性支持体１の他方の面側における傷付きを防止する効果があり、かつ、光透過性を持つので光源９から情報表示パネル１１の他方の面側に入射する光に大きな影響を与えない。なお、これらの効果が必要ない場合は、裏面コート層８を設ける必要はない。
【００５８】
光源９が点灯していない時、文字・絵柄が第１の反射層２及び第１の遮光層３によって表示され、文字・絵柄のない下地部分として光透過性の第２の反射層４をとおして第２の遮光層５が観察される。
【００５９】
図４は、本実施形態の情報表示パネル１１を光源９の点灯時に観察者１０側からみた平面図であって、第１の遮光層３、第２の反射層４、文字・絵柄の外周の間接光１２の配置関係を示す模式図である。
【００６０】
図１に示す光源９が点灯した際には、第２の遮光層５が形成されている領域では第２の遮光層５により遮光され、第１の遮光層３が形成されている領域では第１の遮光層３により遮光されるため、大部分の直接光は観察者１０側に届かない。一方、光透過性着色層６を透過した任意の色の光は第２の遮光層５側の開口部５ａを通過し、第１の反射層２で拡散反射され、その光が第２の反射層４で拡散反射される。それにより、第１の反射層２および第１の遮光層３で形成されている文字・絵柄の外周に、図４に示すような、任意の色の間接光１２が広がるのが視認され、文字・絵柄が立体的に観察されることにより美しい表示ができる。
【００６１】
光源９の点灯の際、図１に示すように、第１の遮光層３と第２の遮光層５が重なる部分の幅をＬ１、光透過性支持体１の厚みをＴ１としたときに、０≦Ｌ１≦５×Ｔ１が成り立つときに文字・絵柄が立体的に観察されやすい。
【００６２】
Ｌ１≦０の時、第１の遮光層３の端部と第２の遮光層５の端部が重ならないことから、第１の反射層２が第１の遮光層３の端部と第２の遮光層５の端部の隙間を塞いでいる場合（第二の形態参照）を除き、裏面コート層９、光透過性着色層６、光透過性支持体１、表面コート層７を透過した直接光が観察されてしまうために文字・絵柄の外周の間接光１２の視認性が低下し、文字・絵柄の立体感が損なわれる。
【００６３】
Ｌ１≧５×Ｔ１の時、文字・絵柄の外周の間接光１２の部分の大半を第１の遮光層３によって塞がれてしまうために文字・絵柄の立体感が損なわれる。
【００６４】
図２は、本発明の第二の実施形態である情報表示パネル３１の断面図を示したものである。
情報表示パネル３１は、光透過性支持体２１の一方の面側に第１の反射層２２、第１の遮光相２３、表面コート層２７が順に積層され、光透過性支持体２１の他方の面側に第２の反射層２４、第２の遮光層２５、光透過性着色層２６、裏面コート層２８が積層されたものである。光透過性支持体１の他方の面側には光源２９が配置され、観察者３０側から目視を行うことになる。
【００６５】
第１の反射層２２および第１の遮光層２３は、文字や絵柄などの所定のパターンを有した形状に形成される。このとき、第１の反射層２２および第１の遮光層２３が形成されている部分が文字や絵柄などの図柄（意匠）を表し、形成されていない部分が背景を表していても良いし、逆に、第１の反射層２２および第１の遮光層２３が形成されている部分が背景を表し、形成されていない部分が文字や絵柄などの図柄を表していても良い。
第２の反射層２４は、光源２９の前方に位置する部分に開口部２４ａを有している。第２の遮光層２５は、光透過性支持体２１の両面の延在方向において第２の反射層２４の開口部２４ａと一致する部分に開口部２５ａを有している。第１の遮光層２３は、光透過性支持体２１の両面の延在方向において、各開口部２４ａ、２５ａに対応する部分の一部に配置されているが、完全に重なっておらず、第１の遮光層２３の端部と第２の反射層２４や第２の遮光層２５の開口部２４ａ、２５ａとの間には隙間が生じている。一方で、第１の反射層２２と第２の反射層２４や第２の遮光層２５とは一部重なって配置されている。
光透過性着色層２６は、光透過性支持体２１の両面の延在方向において少なくとも第２の反射層２４や第２の遮光層２５の開口部２４ａ、２５ａに対応する部分に位置するように積層されている。
表面コート層２７及び裏面コート層２８は、光透過性支持体２１の両面の延在方向における全体に亘る大きさで、光透過性支持体１の両面側のそれぞれ最も外側に位置するように積層される。
【００６６】
第１の反射層２２及び第１の遮光層２３の工法、材料は前述の第一の実施形態の第１の反射層２および第１の遮光層３と同一である。
第１の遮光層２３は光源２９の点灯時には光透過性着色層２６、光透過性支持体２１、第１の反射層２２を透過してから入射した直接光を遮光する効果がある。ただし、第１の遮光層２３の端部と第２の遮光層２５の端部との間に隙間があるためにその部分の直接光を遮光することができない。
しかしながら、第１の反射層２２の端部は第２の遮光層２５の端部と重なっているので、裏面コート層２８、光透過性着色層２６、光透過性支持体２１を透過した強い直接光が第１の反射層２２を透過することにより弱められて観察される。
【００６７】
第２の反射層２４の工法、材料、効果は前述の第一の実施形態の第２の反射層４と同一である。
【００６８】
第２の遮光層２５の工法、材料、効果は前述の第一の実施形態の第２の遮光層５と同一である。
【００６９】
光透過性着色層２６の工法、材料、効果は前述の第一の実施形態の光透過性着色層６と同一である。
【００７０】
表面コート層２７の工法、材料、効果は前述の第一の実施形態の表面コート層７と同一である。
【００７１】
裏面コート層２８の工法、材料、効果は前述の第一の実施形態の裏面コート層８と同一である。
【００７２】
光源２９が点灯していない時、文字・絵柄が第１の反射層２２及び第１の遮光層２３によって表示され、文字・絵柄のない下地部分として光透過性の第２の反射層２４をとおして第２の遮光層２５が観察される。
【００７３】
図５は、本実施形態の情報表示パネル３１を光源２９の点灯時に観察者３０側からみた平面図であって、第１の反射層２２、第１の遮光層２３、第２の反射層２４、文字・絵柄の外周の間接光３２、文字・絵柄の外周の直接光３３の配置関係を示す模式図である。
【００７４】
図２に示す光源２９が点灯した際には、第２の遮光層２５が形成されている領域では第２の遮光層２５により遮光され、第１の遮光層２３が形成されている領域では第１の遮光層２３により遮光されるため、大部分の直接光３３は観察者３０側に届かない。
また、光透過性着色層２６を透過した光は第２の遮光層２５側の開口部２５ａを通過し、第１の反射層２２で拡散反射され、その光が第２の反射層２４で拡散反射される。それにより、第１の反射層２２および第１の遮光層２３で形成されている文字・絵柄領域の外周に、図５に示すような、任意の色の間接光３２が文字・絵柄領域から外側に向けて、明るい部分から暗い部分へのグラデーション状に広がるのが視認される。
一方で、前述のように第１の遮光層２３の端部と第２の遮光層２５の端部に隙間があるために第１の反射層２２の端部で直接光３３が視認される。この直接光３３は文字・絵柄領域の外周において前述の間接光３２と重なるが、前述の直接光３３は第１の反射層２２を透過することで十分に弱められていることから、間接光３２のグラデーションの明るい部分の輝度を若干高めるだけにとどまり、文字・絵柄は立体的に美しく表示される。
【００７５】
光源２９の点灯時、下記の条件の時に文字・絵柄は美しく表示されやすい。
即ち、第１の遮光層２３の端部と第２の遮光層２５の端部の間隔をＬ３、前記第１の遮光層の端部から前記第１の反射層２２の端部がはみ出した部分の幅をＬ４、光透過性支持体２１の厚みをＴ１、第１の遮光層２３または第１の遮光層２３の存在しない部分により形成されている図柄を包囲できる最小円の直径をＲとした際、
Ｌ３≦２×Ｔ１・・・（３）
Ｌ３≦Ｌ４・・・（４）
Ｌ４≦０．０５×Ｒ・・・（５）
の条件が成り立つときに、文字・絵柄は美しく表示されやすい。
【００７６】
Ｌ３≧２×Ｔ１の場合、文字・絵柄外周部における直接光３３が視認される範囲が広すぎるために間接光３２のグラデーションによって立体的に文字・絵柄を見せることができない。  
【００７７】
Ｌ３≧Ｌ４の場合、第１の反射層２２を透過していない輝度の高い直接光３３を視認するため、輝度の低い間接光３２が視認しにくくなり、立体的に文字・絵柄を見せることができない。
【００７８】
Ｌ４≧０．０５×Ｒの場合、第一の実施形態の場合と同様に、第１の反射層２２のはみ出している部分は、第１の遮光層２３の陰影としてではなく、第１の遮光層２３とは別の文字・絵柄と認識されるため、文字・絵柄の外観が損なわれてしまう。
【００７９】
上述した第一及び第二実施形態の情報表示パネル１１および３１の背面に配置される光源９および２９としては、各種ランプ（各種電球ランプ、ＬＥＤ光源）や面光源を利用することが出来る。特にエッジライト式光源と導光板からなる面光源は、冷陰極管などの線光源からアクリルなどの導光板内に導かれた光を導光板内の全反射を用いて導光板全面に導き、印刷などでつけられた反射ドットに当たった光がその進路を変え、全反射角よりも小さい角度になった光が導光板表面から出てくることを利用して、導光板全面が均一に光るようにしたものである。このような面光源を、情報表示パネル１１および３１の背面に配置される光源９および２９として利用すると、情報表示パネル１１および３１の全体を均一に照明することができ、観察者１０および３０が読み取りしやすいという利点がある。
【００８０】
なお、図１に示す第一実施形態の情報表示パネル１１では、図３に示すように、第１の遮光層３の左側端部と下側端部の外側に、第１の反射層２がはみ出している領域がある場合を示しているが、第１の反射層２がはみ出す領域は、第１の遮光層３のどちら側であってもかまわない。
例えば、情報表示パネル１１の各領域にある第１の遮光層３の、情報表示パネル１１の中央に近い側の端部には第１の反射層２がはみ出す領域がなく、情報表示パネル１１の周縁部に近い側の端部には第１の反射層２がはみ出す領域があるという設定にしてもよい。あるいは、情報表示機器に組み込まれ輸送機器に搭載されたときに、上側になる第１の遮光層３の端部には第１の反射層２がはみ出す領域がなく、下側になる第１の遮光層３の端部には第１の反射層２がはみ出す領域があるという設定にしてもよい。
このような位置関係は、図２に示す第二実施形態の情報表示パネル３１における第１の反射層２２と第１の遮光層２３との位置関係についても同様に適用できる。
【実施例１】
【００８１】
本発明の実施例１について具体的に説明する。実施例１は、図１に示す第一実施形態の情報表示パネル１１の一実施例を示したものである。
光透過性支持体１として厚さ０．５ｍｍのポリカーボネートを用い、その一方の面にスクリーン印刷で白インキの第１の反射層２、黒インキの第１の遮光層３、透明インキにシリカを添加した表面コート層７を形成し、他方の面にスクリーン印刷で第１の遮光層３に反転する位置に透明インキにシリカを添加した第２の反射層４、黒インキの第２の遮光層５、青インキの光透過性着色層６、透明インキにシリカを添加した裏面コート層８を形成した。本実施例においては、第１の反射層２および第１の遮光層３を文字の形状に形成し、第２の反射層４、第２の遮光層５を背景部分として形成した。
【００８２】
以上の構成で、第２の反射層４の拡散反射率をＲｔ１、全光線透過率をＴｔ１としたときの光源９点灯時の文字の立体感の評価結果及び光源９非点灯時の文字以外の下地部分の外観の評価結果を表１に示す。第１の反射層２の拡散反射率は７０％、第１の遮光層３の全光線透過率は０％、第２の遮光層５の全光線透過率は０％、第１の遮光層３の端部と前記第２の遮光層５の端部の重なる部分の幅をＬ１とした時Ｌ１＝０が成り立ち、第１の遮光層３の端部から第１の反射層２の端部がはみ出した部分の幅をＬ２とした時Ｌ２＝０が成り立つものとする。
なお、立体感、外観の評価では本実施例の情報表示パネル１１の他方の面側に１０００ｃｄ／ｍ２  のＬＥＤ光源を置き、１ｍの距離から観察した。目視による官能評価にて１〜５の５段階で評価した（良い＝５、・・・、悪い＝１）。それぞれの評価が３以上で合格とする。
【００８３】
【表１】
2012212006.tif 000003
【００８４】
表１に示した結果から、光源９非点灯時に十分良好な外観を得るためには第２の反射層４の全光線透過率Ｔｔ１が５０％以上である必要があることが分かった。
第２の反射層４の全光線透過率Ｔｔ１が５０％以下だと外光が第２の反射層４を透過できないことから第２の遮光層を十分に視認できない。
また、光源９点灯時の文字の立体感が十分なものであるためには、第２の反射層４の拡散反射率Ｒｔ１が１０％以上４０％以下までの範囲であることも分かった。
拡散反射率Ｒｔ１が４０％以上でも文字の立体感は十分であると推測されるが、全光線透過率Ｔｔ１との兼ね合いもあり４０％以上の評価は行なわなかった（拡散反射率Ｒｔ１と全光線透過率Ｔｔ１を加えても１００％を超えないので、全光線透過率Ｔｔ１が１０％以下の場合についても評価は行っていない。）。
【００８５】
図１の構成で、第１の遮光層３の端部と第２の遮光層５の端部の重なる部分の幅をＬ１、光透過性支持体１１の厚みをＴ１としたときの、Ｌ１に対する光源９点灯時の文字の立体感の評価結果を表２に示す。なお、Ｌ１が０以下の場合は第１の遮光層３の端部と第２の遮光層５の端部が重ならず、Ｌ１は第１の遮光層３の端部と第２の遮光層５の端部の隙間を表しているものとする。
【００８６】
上記において、第１の反射層２の拡散反射率は７０％、第１の遮光層３の全光線透過率は０％、第２の反射層４の拡散反射率と全光線透過率はそれぞれ４０％と５０％、第２の遮光層５の全光線透過率は０％、第１の遮光層３の端部から第１の反射層２の端部がはみ出した部分の幅をＬ２とした時Ｌ２＝０が成り立つものとする。
なお、立体感の評価では本発明の情報表示パネル１１の他方の面側に１０００ｃｄ／ｍ２  のＬＥＤ光源を置き、１ｍの距離から観察した。目視による官能評価にて１〜５の５段階で評価した（良い＝５、・・・、悪い＝１）。それぞれの評価が３以上で合格とする。
【００８７】
【表２】
2012212006.tif 000004
【００８８】
表２に示した結果から、光源９点灯時に十分な文字の立体感を得るためには、０≦Ｌ１≦５×Ｔ１である必要があることが分かった。
Ｌ１≦０では第１の遮光層３の端部と第２の遮光層５の端部の隙間から輝度の高い直接光が見えてしまい、文字の周辺に広がる間接光が視認できず、文字が立体的に観察できなかった。
一方、Ｌ１≧５×Ｔ１では文字の周辺に広がる間接光が視認できず、文字が立体的に観察できなかった。これは第２の遮光層５の開口部５ａをぬけて第１の反射層２に入射する光の端部と第１の反射層２（第１の遮光層３）の端部の距離が広くなり過ぎて、第１の反射層２で拡散反射された光（間接光）が第１の遮光層３の外周まで十分に届かなかったためと考えられる。
【００８９】
図１の構成で、第１の遮光層３の端部から第１の反射層２の端部がはみ出した部分の幅をＬ２、第１の遮光層２または第１の遮光層３の存在しない部分により形成されている図柄を包囲できる最小円の直径をＲ（図３参照）とした時、Ｌ２に対する光源９非点灯時の文字の立体感の評価結果を表３に示す。
【００９０】
上記において、第１の反射層２の拡散反射率は７０％、第１の遮光層３の全光線透過率は０％、第２の反射層４の拡散反射率と全光線透過率はそれぞれ４０％と５０％、第２の遮光層５の全光線透過率は０％、第１の遮光層３の端部と前記第２の遮光層５の端部の重なる部分の幅をＬ１とした時Ｌ１＝０が成り立つものとする。
なお、立体感の評価では本実施例の情報表示パネル１１の一方の面側の１ｍの距離から観察した。目視による官能評価にて１〜５の５段階で評価した（良い＝５、・・・、悪い＝１）。それぞれの評価が３以上で合格とする。
【００９１】
【表３】
2012212006.tif 000005
【００９２】
表３に示した結果から、光源９非点灯時に十分な文字の立体感を得るためには、０．００２５×Ｒ≦Ｌ２≦０．０５×Ｒである必要があることが分かった。
Ｌ２≦０．００２５×Ｒでは第１の遮光層３の端部から第１の反射層２の端部がはみ出す部分が狭すぎて文字に立体感を感じられなかった。
一方、Ｌ２≧０．０５×Ｒでは第１の遮光層３の端部から第１の反射層２の端部がはみ出す部分が広すぎて、第１の遮光層３と第１の反射層２が別の絵柄を表しているように見えるだけで文字に立体感を感じられなかった。
【００９３】
実施例１で作製した情報表示パネル１１を用いることにより、その後方に配置される光源９を点灯した際に、文字・絵柄の外周部から漏れる間接光の効果を生じさせるとともに、光源９の非点灯時に文字・絵柄のない下地部分を暗色に視認させることができる情報表示パネル１１を提供することができた。
なお、第１の反射層２の拡散反射率は２０％が未満の場合、入射して拡散反射され、第１の反射層２の外周部で視認される間接光の輝度が十分でなく、文字に十分な立体感がみられない。
さらに、本実施例の情報表示パネル１１において、第１の遮光層３の全光線透過率は０％以上２０％以下であることが好ましい。第１の遮光層３の全光線透過率が２０％以上であると、光源からの直接光の隠蔽が不十分で、外周に漏れる間接光の視認性が下がり文字の立体感が低下してしまう。
また、本実施例の情報表示パネル１１において、第２の遮光層５の全光線透過率は０％以上２０％以下であることが好ましい。第２の遮光層５の全光線透過率が２０％以上であると、光源からの直接光の隠蔽が不十分で、第２の反射層４で視認される直接光の輝度が高まり、第２の反射層４に第1の反射層から拡散反射されて広がる間接光の視認性が下がり文字の立体感が低下してしまう。
さらに、本実施例の情報表示パネル１１において、表面コート層７の全光線透過率は７０％以上であることが好ましい。表面コート層７の全光線透過率が７０％以下であると、光源の非点灯時に外光が十分に透過できないことから情報表示パネル１１の視認性が悪くなり、また光源点灯時にも光源からの直接光、間接光が十分に透過できず情報表示パネルの視認性が低下してしまう。
また、表面コート層７の拡散反射率は５％以上３０％以下であることが好ましい。表面コート層７の拡散反射率が５％以下であると、光透過性支持体の観察者側で表面コート層の下に何も積層していない部分のギラツキが発生してしまい、情報表示パネルの外観が悪くなるという点で不利であり、拡散反射率が３０％以上であると外光が拡散されてしまい情報表示パネルの視認性が低下するという点で不利である。
さらに、表面コート層７の強度は鉛筆強度でＨＢ以上であることが好ましい。表面コート層７の強度が鉛筆強度でＨＢ以下であると、工程内においてこすれによる傷が発生しやすくなってしまう。
また、本実施例の情報表示パネル１１において、裏面コート層８の全光線透過率は７０％以上であることが好ましい。裏面コート層８の全光線透過率が７０％以下であると、光源からの直接光が十分に透過できず情報表示パネルの視認性が低下してしまう。
さらに、裏面コート層８の強度は鉛筆強度でＨＢ以上であることが好ましい。裏面コート層８の強度が鉛筆強度でＨＢ以下であると、工程内においてこすれによる傷が発生しやすくなってしまう。
【００９４】
実施例１で作製した情報表示パネル１１を、情報表示機器に組み込み、輸送機器に用いた。輸送機器の構造は一般的に用いられるものである。輸送機器に用いた場合にも、情報表示パネル１１によって得られる効果をそのまま得ることができた。
【実施例２】
【００９５】
本発明の実施例２について具体的に説明する。実施例２は、図２に示す第二実施形態の情報表示パネル３１の一実施例を示したものである。
光透過性支持体２１として厚さ０．５ｍｍのポリカーボネートを用い、その一方の面にスクリーン印刷で白インキの第１の反射層２２、黒インキの第１の遮光層２３、透明インキにシリカを添加した表面コート層２７を形成し、他方の面にスクリーン印刷で第１の遮光層２３に反転する位置に透明インキにシリカを添加した第２の反射層２４、黒インキの第２の遮光層２５、青インキの光透過性着色層２６、透明インキにシリカを添加した裏面コート層２８を形成した。本実施例においては、第１の反射層２２および第１の遮光層２３を文字の形状に形成し、第２の反射層２４、第２の遮光層２５を背景部分として形成した。
【００９６】
図２の構成で、第１の遮光層２３の端部と第２の遮光層２５の端部の間隔をＬ３、光透過性支持体２１の厚みをＴ１としたときの、Ｌ３に対する光源２９点灯時における文字の立体感を表４に示す。
なお、図２に示されているように、第１の遮光層２３の端部と第２の遮光層２５の端部が重ならず、第１の反射層２２の端部と第２の遮光層２５の端部が重なっているものとする。
【００９７】
上記において、第１の反射層２２の拡散反射率は７０％、第１の遮光層２３の全光線透過率は０％、第２の反射層２４の拡散反射率と全光線透過率はそれぞれ４０％と５０％、第２の遮光層２５の全光線透過率は０％、第１の遮光層２３の端部から第１の反射層２２の端部がはみ出した部分の幅をＬ４とした時Ｌ４＝Ｌ３が成り立つものとする。
また、実施例１にあったように、第１の遮光層２３または第１の遮光層２３の存在しない部分により形成されている図柄を包囲できる最小円の直径Ｒとした時、Ｌ４が大きすぎると光源２９非点灯時の文字の外観が損なわれるので、Ｌ４≦０．０５×Ｒとなるものとする。
なお、立体感の評価では本実施例の情報表示パネル３１の他方の面側に１０００ｃｄ／ｍ２  のＬＥＤ光源を置き、１ｍの距離から観察した。目視による官能評価にて１〜５の５段階で評価した（良い＝５、・・・、悪い＝１）。それぞれの評価が３以上で合格とする。
【００９８】
【表４】
2012212006.tif 000006
【００９９】
表４に示した結果から、光源２９点灯時に十分な文字の立体感を得るためには、Ｌ３≦２×Ｔ１である必要があることが分かった。
Ｌ３≧２×Ｔ１では文字の周辺に広がる間接光が視認できず、文字が立体的に観察できなかった。これは、第１の反射層２２を透過する直接光が観察されるものの、第２の遮光層２５の開口部２５ａをぬけて第１の反射層２２に入射する光の端部と第１の遮光層２３の端部の距離が広くなり過ぎて、第１の反射層２２で拡散反射される光（間接光）が第１の反射層２２の外周まで十分に届かなかったためと考えられる。
【０１００】
実施例２で作製した情報表示パネル３１を用いることにより、その後方に配置される光源２９を点灯した際に、文字・絵柄の外周部から漏れる間接光の効果、または、その間接光と直接光を組み合わせた効果を生じさせるとともに、光源２９の非点灯時に文字・絵柄のない下地部分を暗色に視認させることができる情報表示パネル３１を提供することができた。
なお、本実施例の情報表示パネル３１において、第１の反射層２２の拡散反射率は２０％以上９０％以下であることが好ましい。第１の反射層２２の拡散反射率が２０％未満の場合、入射して拡散反射され、第１の反射層２の外周部で視認される間接光の輝度が十分でなく、文字に十分な立体感がみられない。
さらに、本実施例の情報表示パネル３１において、第１の遮光層２３の全光線透過率は０％以上２０％以下であることが好ましい。第１の遮光層２３の全光線透過率が２０％以上であると、光源からの直接光の隠蔽が不十分で、外周に漏れる間接光の視認性が下がり文字の立体感が低下してしまう。
また、本実施例の情報表示パネル３１において、第２の反射層２４の全光線透過率は５０％以上９０％以下であることが好ましい。第２の反射層２４の全光線透過率が５０％以下であると、外光の透過が不十分で光源非点灯時の第2の遮光層２５の視認性が低下してしまい、全光線透過率が９０％以上になると光源点灯時に拡散反射される光が少なくなって間接光の輝度が低下して立体感が損なわれてしまう。
さらに、第２の反射層２４の拡散反射率は１０％以上４０％以下であることが好ましい。第２の反射層２４の拡散反射率は４０％以上でもよいと推測されるが、第２の反射層２４の全光線透過率との兼ね合いもあり４０％以上の評価は行なわなかった（第２の反射層２４の拡散反射率と全光線透過率を加えても１００％を超えないので、第２の反射層２４の全光線透過率が１０％以下の場合についても評価は行っていない。）。
また、本実施例の情報表示パネル３１において、第２の遮光層２５の全光線透過率は０％以上２０％以下であることが好ましい。第２の遮光層２５の全光線透過率が２０％以上であると、光源からの直接光の隠蔽が不十分で、第２の反射層４で視認される直接光の輝度が高まり、第２の反射層４に第1の反射層から拡散反射されて広がる間接光の視認性が下がり文字の立体感が低下してしまう。
さらに、本実施例の情報表示パネル３１において、表面コート層２７の全光線透過率は７０％以上であることが好ましい。表面コート層２７の全光線透過率が７０％以下であると、光源の非点灯時に外光が十分に透過できないことから情報表示パネル１１の視認性が悪くなり、また光源点灯時にも光源からの直接光、間接光が十分に透過できず情報表示パネルの視認性が低下してしまう。
また、表面コート層２７の拡散反射率は５％以上３０％以下であることが好ましい。表面コート層２７の拡散反射率が５％以下であると、光透過性支持体の観察者側で表面コート層の下に何も積層していない部分のギラツキが発生してしまい、情報表示パネルの外観が悪くなるという点で不利であり、拡散反射率が３０％以上であると外光が拡散されてしまい情報表示パネルの視認性が低下するという点で不利である。
さらに、表面コート層２７の強度は鉛筆強度でＨＢ以上であることが好ましい。表面コート層２７の強度が鉛筆強度でＨＢ以下であると、工程内においてこすれによる傷が発生しやすくなってしまう。
また、本実施例の情報表示パネル３１において、裏面コート層２８の全光線透過率は７０％以上であることが好ましい。裏面コート層２８の全光線透過率が７０％以下であると、光源からの直接光が十分に透過できず情報表示パネルの視認性が低下してしまう。
さらに、裏面コート層２８の強度は鉛筆強度でＨＢ以上であることが好ましい。裏面コート層２８の強度が鉛筆強度でＨＢ以下であると、工程内においてこすれによる傷が発生しやすくなってしまう。
【０１０１】
実施例２で作製した情報表示パネル３１を、情報表示機器に組み込み、輸送機器に用いた。輸送機器の構造は一般的に用いられるものである。輸送機器に用いた場合にも、情報表示パネル３１によって得られる効果をそのまま得ることができた。
【符号の説明】
【０１０２】
１、２１  光透過性支持体
２、２２  第１の反射層
３、２３  第１の遮光層
４、２４  第２の反射層
４ａ、５ａ、２４ａ、２５ａ  開口部
５、２５  第２の遮光層
６、２６  光透過性着色層
７、２７  表面コート層
８、２８  裏面コート層
９、２９  光源
１０、３０  観察者
１１、３１  情報表示パネル
１２、３２  間接光
３３  直接光
【図１】
2012212006.tif 000007
【図２】
2012212006.tif 000008
【図３】
2012212006.tif 000009
【図４】
2012212006.tif 000010
【図５】
2012212006.tif 000011